(57)【要約】【課題】  通信相手機が使用可能な能力情報をユーザに表示して選択させて送信が行われることにより、送信者が意図しない送信を防止することができる画像通信装置およびその方法を提供する。【解決手段】  画像通信装置１００において、通信相手機の能力を該通信相手機の宛先情報と関連付けて宛先情報記憶部１０６に記憶し、画像送信する宛先の宛先情報をユーザより操作部１０７で受け付けた際に、宛先情報記憶部１０６から該宛先情報に対する通信相手機の能力情報を検索し、検索した結果、該通信相手機の能力情報が検索されなかった場合は、該通信相手機の能力情報を管理するサーバから能力情報を取得して該能力情報を該通信相手機の宛先情報と関連付けて宛先情報記憶部１０６に記憶し、記憶された通信相手機の能力情報に基づいて、画像送信する際のユーザインタフェース画面をカスタマイズして操作部１０７に表示する。【選択図】  図１
2007088891.tif 000002
【特許請求の範囲】
【請求項１】
通信相手機と能力情報の交換を行ってインターネットファックス通信を行う画像通信装置において、
通信相手機の能力情報を該通信相手機の宛先情報と関連付けて記憶する記憶手段と、
画像送信する宛先の宛先情報を受け付けた際に、前記記憶手段から該宛先情報に対する通信相手機の能力情報を検索する検索手段と、
前記検索手段の検索により前記通信相手機の能力情報が検索されなかった場合は、該通信相手機の能力情報を管理するサーバから該通信相手機の能力情報を取得し、該能力情報を該通信相手機の宛先情報と関連付けて前記記憶手段に記憶する記憶制御手段と、
前記記憶制御手段に記憶された通信相手機の能力情報に基づいて、前記画像送信する際のユーザインタフェース画面をカスタマイズして表示するＵＩカスタマイズ手段と
を具備することを特徴とする画像通信装置。
【請求項２】
通信相手機と能力情報の交換を行ってインターネットファックス通信を行う画像通信装置において、
通信相手機の能力情報を該通信相手機の宛先情報と関連付けて記憶する記憶手段と、
画像送信する宛先の宛先情報を受け付けた際に、前記記憶手段から該宛先情報に対する通信相手機の能力情報を検索する検索手段と、
前記検索手段の検索により前記通信相手機の能力情報が検索されなかった場合は、前記通信相手機に対して、ＳＩＰのオプションコマンドを送出して、当該通信相手機から当該通信相手機の能力情報を取得し、該能力情報を該通信相手機の宛先情報と関連付けて前記記憶手段に記憶する記憶制御手段と、
前記記憶制御手段に記憶された通信相手機の能力情報に基づいて、前記画像送信する際のユーザインタフェース画面をカスタマイズして表示するＵＩカスタマイズ手段と
を具備することを特徴とする画像通信装置。
【請求項３】
通信相手機と能力情報の交換を行ってインターネットファックス通信を行う画像通信装置において、
通信相手機の受信可能な送信紙サイズ、解像度、原稿濃度等の設定パラメータ値情報を該通信相手機の宛先情報と関連付けて記憶する記憶手段と、
画像送信する宛先の宛先情報を受け付けた際に、前記記憶手段から該宛先情報に対する通信相手機が受信可能な設定パラメータの値情報を検索する検索手段と、
前記検索手段の検索により検索された前記受信可能な設定パラメータの値情報に基づいて前記設定パラメータの値を示す選択肢を制限して画像送信する際のユーザインタフェース画面に表示するＵＩカスタマイズ手段と
を具備することを特徴とする画像通信装置。
【請求項４】
通信相手機と能力情報の交換を行ってファックス通信およびインターネットファックス通信を行う画像通信装置において、
通信相手機が受信可能な非標準機能の能力情報を該通信相手機の宛先情報と関連付けて記憶する記憶手段と、
画像送信する宛先の宛先情報を受け付けた際に、前記記憶手段から該宛先情報に対する通信相手機が受信可能な非標準機能の能力情報を検索する検索手段と、
前記検索手段の検索により当該通信相手機が前記画像通信装置と共通の非標準機能を有する場合は、画像送信のユーザインタフェース画面において、当該共通の非標準機能を設定するための入力画面に切り替えを可能にし、当該通信相手機が前記画像通信装置と共通の非標準機能を有しない場合には、画像送信する際のユーザインタフェース画面において、非標準機能を入力するための入力画面への切り替えを不可にするＵＩカスタマイズ手段と
を具備することを特徴とする画像通信装置。
【請求項５】
通信相手機と能力情報の交換を行ってファックス通信およびインターネットファックス通信を行う画像通信装置において、
通信相手機がＦコードによる通信機能を有しているか否かの情報を該通信相手機の宛先情報と関連付けて記憶する記憶手段と、
画像送信する宛先の宛先情報を受け付けた際に、前記記憶手段から該宛先情報に対する通信相手機が前記Ｆコードによる通信機能を有しているか否かの情報を検索する検索手段と、
前記検索手段の検索により当該通信相手機はＦコードによる通信機能を有している場合は、画像送信のユーザインタフェース画面にＦコード指示のための入力画面を備えるようにユーザインタフェース画面をカスタマイズし、当該通信相手機はＦコードによる通信機能を有していない場合は、画像送信する際のユーザインタフェース画面にＦコード指示のための入力画面を非表示、または、入力不能にするＵＩカスタマイズ手段と
を具備することを特徴とする画像通信装置。
【請求項６】
通信相手機と能力情報の交換を行ってインターネットファックス通信を行う画像通信方法において、
通信相手機の能力情報を該通信相手機の宛先情報と関連付けて記憶手段により記憶し、
画像送信する宛先の宛先情報を受け付けた際に、前記記憶手段から該宛先情報に対する通信相手機の能力情報を検索手段により検索し、
前記検索手段の検索により前記通信相手機の能力情報が検索されなかった場合は、該通信相手機の能力情報を管理するサーバから該通信相手機の能力情報を取得し、該能力情報を該通信相手機の宛先情報と関連付けて前記記憶手段に記憶制御手段により記憶し、
前記記憶制御手段に記憶された通信相手機の能力情報に基づいて、前記画像送信する際のユーザインタフェース画面をＵＩカスタマイズ手段によりカスタマイズして表示する
ことを特徴とする画像通信方法。
【発明の詳細な説明】
【技術分野】
【０００１】
本発明は、ＦＡＸやインターネットファックスが可能な画像通信装置およびその方法に関し、特に、通信相手機が使用可能な能力情報をユーザに表示して選択させて送信が行われることにより、送信者が意図しない送信を防止することができる画像通信装置およびその方法に関する。
【背景技術】
【０００２】
近年、インターネットを利用して画像データを送信することができるインターネットファックスの技術が存在する。
【０００３】
従来の電話回線を利用したＦＡＸにおいては、発呼時に通信相手機の受信能力を知って、その受信能力に合わせて画像データに処理を行い送信する、例えば、通信相手機がＡ４のみ受信可能な場合には送信画像データをＡ４サイズに変換して送信する等の処理が行われていた。
【０００４】
それで、インターネットファックスにおいても、通信相手機の受信能力を知って、その受信能力に合わせて画像データに処理を行って送信する技術が望まれた。
【０００５】
その問題に対する技術として、特許文献１には、送信時に相手方通信装置の能力情報を蓄積したサーバを呼び出して通信相手機の能力情報を読み出し、その能力情報に基づいて、送信データのフォーマットを変換して送信することができる通信方法、通信装置およびサーバが提案されている。
【０００６】
この発明により、送信される画像データは通信相手機の受信能力に合わせた最適な画像データに変換されて送信されるので、通信相手機はその性能に見合った最適な画像データを受信することができるようになった。
【０００７】
また、電子メールを利用したインターネットファックスやリアルタイム型インターネットファックスでは、通信相手機との能力交換をする方式がＲＦＣ化され、能力交換により通信相手機の能力に合った画像データに送信側にて自動変換して、送信することが可能となった。
【特許文献１】特開２０００−２６１５９７号公報
【発明の開示】
【発明が解決しようとする課題】
【０００８】
しかし、電子メールを利用したインターネットファックスやリアルタイム型インターネットファックスでは、送信者が意図しない解像度／文書サイズに自動的に変換されて送信されるため、受信側では細かい文字がつぶれて読めなかったり、図面・イラスト・デザイン等の倍率が自動的に変わって送信されてしまい送信者の意図が伝わらない不都合が発生する等の問題があった。
【０００９】
そこで、この発明は、通信相手機が使用可能な能力情報をユーザに表示して選択させて送信が行われることにより、送信者が意図しない送信を防止することができる画像通信装置およびその方法を提供することを目的とする。
【課題を解決するための手段】
【００１０】
上記目的を達成する為に、請求項１の発明は、通信相手機と能力情報の交換を行ってインターネットファックス通信を行う画像通信装置において、通信相手機の能力情報を該通信相手機の宛先情報と関連付けて記憶する記憶手段と、画像送信する宛先の宛先情報を受け付けた際に、前記記憶手段から該宛先情報に対する通信相手機の能力情報を検索する検索手段と、前記検索手段の検索により前記通信相手機の能力情報が検索されなかった場合は、該通信相手機の能力情報を管理するサーバから該通信相手機の能力情報を取得し、該能力情報を該通信相手機の宛先情報と関連付けて前記記憶手段に記憶する記憶制御手段と、前記記憶制御手段に記憶された通信相手機の能力情報に基づいて、前記画像送信する際のユーザインタフェース画面をカスタマイズして表示するＵＩカスタマイズ手段とを具備する。
【００１１】
また、請求項２の発明は、通信相手機と能力情報の交換を行ってインターネットファックス通信を行う画像通信装置において、通信相手機の能力情報を該通信相手機の宛先情報と関連付けて記憶する記憶手段と、画像送信する宛先の宛先情報を受け付けた際に、前記記憶手段から該宛先情報に対する通信相手機の能力情報を検索する検索手段と、前記検索手段の検索により前記通信相手機の能力情報が検索されなかった場合は、前記通信相手機に対して、ＳＩＰのオプションコマンドを送出して、当該通信相手機から当該通信相手機の能力情報を取得し、該能力情報を該通信相手機の宛先情報と関連付けて前記記憶手段に記憶する記憶制御手段と、前記記憶制御手段に記憶された通信相手機の能力情報に基づいて、前記画像送信する際のユーザインタフェース画面をカスタマイズして表示するＵＩカスタマイズ手段とを具備することを特徴とする。
【００１２】
また、請求項３の発明は、通信相手機と能力情報の交換を行ってインターネットファックス通信を行う画像通信装置において、通信相手機の受信可能な送信紙サイズ、解像度、原稿濃度等の設定パラメータ値情報を該通信相手機の宛先情報と関連付けて記憶する記憶手段と、画像送信する宛先の宛先情報を受け付けた際に、前記記憶手段から該宛先情報に対する通信相手機が受信可能な設定パラメータの値情報を検索する検索手段と、前記検索手段の検索により検索された前記受信可能な設定パラメータの値情報に基づいて前記設定パラメータの値を示す選択肢を制限して画像送信する際のユーザインタフェース画面に表示するＵＩカスタマイズ手段とを具備することを特徴とする。
【００１３】
また、請求項４の発明は、通信相手機と能力情報の交換を行ってファックス通信およびインターネットファックス通信を行う画像通信装置において、通信相手機が受信可能な非標準機能の能力情報を該通信相手機の宛先情報と関連付けて記憶する記憶手段と、画像送信する宛先の宛先情報を受け付けた際に、前記記憶手段から該宛先情報に対する通信相手機が受信可能な非標準機能の能力情報を検索する検索手段と、前記検索手段の検索により当該通信相手機が前記画像通信装置と共通の非標準機能を有する場合は、画像送信のユーザインタフェース画面において、当該共通の非標準機能を設定するための入力画面に切り替えを可能にし、当該通信相手機が前記画像通信装置と共通の非標準機能を有しない場合には、画像送信する際のユーザインタフェース画面において、非標準機能を入力するための入力画面への切り替えを不可にするＵＩカスタマイズ手段とを具備することを特徴とする。
【００１４】
また、請求項５の発明は、通信相手機と能力情報の交換を行ってファックス通信およびインターネットファックス通信を行う画像通信装置において、通信相手機がＦコードによる通信機能を有しているか否かの情報を該通信相手機の宛先情報と関連付けて記憶する記憶手段と、画像送信する宛先の宛先情報を受け付けた際に、前記記憶手段から該宛先情報に対する通信相手機が前記Ｆコードによる通信機能を有しているか否かの情報を検索する検索手段と、前記検索手段の検索により当該通信相手機はＦコードによる通信機能を有している場合は、画像送信のユーザインタフェース画面にＦコード指示のための入力画面を備えるようにユーザインタフェース画面をカスタマイズし、当該通信相手機はＦコードによる通信機能を有していない場合は、画像送信する際のユーザインタフェース画面にＦコード指示のための入力画面を非表示、または、入力不能にするＵＩカスタマイズ手段とを具備することを特徴とする。
【００１５】
また、請求項６の発明は、通信相手機と能力情報の交換を行ってインターネットファックス通信を行う画像通信方法において、通信相手機の能力情報を該通信相手機の宛先情報と関連付けて記憶手段により記憶し、画像送信する宛先の宛先情報を受け付けた際に、前記記憶手段から該宛先情報に対する通信相手機の能力情報を検索手段により検索し、前記検索手段の検索により前記通信相手機の能力情報が検索されなかった場合は、該通信相手機の能力情報を管理するサーバから該通信相手機の能力情報を取得し、該能力情報を該通信相手機の宛先情報と関連付けて前記記憶手段に記憶制御手段により記憶し、前記記憶制御手段に記憶された通信相手機の能力情報に基づいて、前記画像送信する際のユーザインタフェース画面をＵＩカスタマイズ手段によりカスタマイズして表示することを特徴とする。
【発明の効果】
【００１６】
本発明の画像通信装置およびその方法によれば、通信相手機の能力情報を該通信相手機の宛先情報と関連付けて記憶する記憶手段と、画像送信する宛先の宛先情報を受け付けた際に、記憶手段から該宛先情報に対する通信相手機の能力情報を検索する検索手段と、検索手段の検索により通信相手機の能力情報が検索されなかった場合は、該通信相手機の能力情報を管理するサーバから該通信相手機の能力情報を取得し、該能力情報を該通信相手機の宛先情報と関連付けて記憶手段に記憶する記憶制御手段と、記憶制御手段に記憶された通信相手機の能力情報に基づいて、画像送信する際のユーザインタフェース画面をカスタマイズして表示するＵＩカスタマイズ手段とを具備するように構成したので、送信者であるユーザが意図しない解像度／文書サイズに変換されて画像データが送信されることを防止することができる。
【００１７】
さらに、本発明の画像通信装置およびその方法によれば、通信相手機が受信可能な非標準機能の能力情報を該通信相手機の宛先情報と関連付けて記憶する記憶手段と、画像送信する宛先の宛先情報を受け付けた際に、記憶手段から該宛先情報に対する通信相手機が受信可能な非標準機能の能力情報を検索する検索手段と、検索手段の検索により当該通信相手機が画像通信装置と共通の非標準機能を有する場合は、画像送信のユーザインタフェース画面において、当該共通の非標準機能を設定するための入力画面に切り替えを可能にし、当該通信相手機が画像通信装置と共通の非標準機能を有しない場合には、画像送信する際のユーザインタフェース画面において、非標準機能を入力するための入力画面への切り替えを不可にするＵＩカスタマイズ手段とを具備するように構成したので、自社機間でのみ指示可能な親展通信等の非標準機能の指示を対応していない通信相手機に誤って送信して通信拒否されることによる無駄な通信コストを削減することができる。
【００１８】
さらに、本発明の画像通信装置およびその方法によれば、通信相手機がＦコードによる通信機能を有しているか否かの情報を該通信相手機の宛先情報と関連付けて記憶する記憶手段と、画像送信する宛先の宛先情報を受け付けた際に、記憶手段から該宛先情報に対する通信相手機がＦコードによる通信機能を有しているか否かの情報を検索する検索手段と、検索手段の検索により当該通信相手機はＦコードによる通信機能を有している場合は、画像送信のユーザインタフェース画面にＦコード指示のための入力画面を備えるようにユーザインタフェース画面をカスタマイズし、当該通信相手機はＦコードによる通信機能を有していない場合は、画像送信する際のユーザインタフェース画面にＦコード指示のための入力画面を非表示、または、入力不能にするＵＩカスタマイズ手段とを具備するように構成したので、Ｆコードに対応していない通信相手機に対して誤ってＦコードによる通信指示を行って通信拒否されることによる無駄な通信コストを削減することができるという効果を奏する。
【発明を実施するための最良の形態】
【００１９】
以下、本発明に係わる画像通信装置およびその方法の実施例について添付図面を参照して詳細に説明する。
【００２０】
まず、本発明に係わる画像通信装置の内部構成例について図１を参照して説明を行う。
【００２１】
図１は、本発明に係わる画像通信装置１００の内部構成例を示したブロック図である。
【００２２】
図１に示すように、画像通信装置１００は、公衆網（アナログの公衆電話網のＰＳＴＮ(Public Switched Telephone Network)とデジタルの公衆電話網のＩＳＤＮ(Integrated Services Digital Network)を含む）１５０とＩＰ(Internet Protocol)網１６０とに接続可能に構成されている。
【００２３】
画像通信装置１００は、バス１０９に、ＲＡＭ(Random Access Memory)１０１、画像蓄積部１０２、画像処理部１０３、プリンタ部１０４、スキャナ部１０５、宛先情報記憶部１０６、操作部１０７、ＣＰＵ(Central Processing Unit)１０８、システム制御部１１０、ＤＮＳ(Domain Name System)処理部１１１、Ｔ３７伝送制御部１１２、Ｔ３８伝送制御部１１３、ＩＰ網制御部１１４、デジタルＦＡＸ部１２０、アナログＦＡＸ部１３０が接続されて構成される。
【００２４】
ＩＰ網制御部１１４は、内部にＳＩＰ(Session Initiation Protocol)呼制御部１１５を備え、また、画像通信装置１００外部のＩＰ網１６０に接続される。
【００２５】
また、デジタルＦＡＸ部１２０は、内部にＧ４ＦＡＸ伝送制御部１２１とＩＳＤＮ呼／網制御部１２２とを備え、また、画像通信装置１００外部の公衆網１５０のＩＳＤＮ回線に接続される。
【００２６】
また、アナログＦＡＸ部１３０は、内部にＧ３ＦＡＸ伝送制御部１３１とＰＳＴＮ呼／網制御部１３２とを備え、また、画像通信装置１００外部の公衆網１５０のＰＳＴＮに接続される。
【００２７】
ＲＡＭ１０１は一時的に情報を記憶し、画像蓄積部１０２はスキャナ部１０５で読み取られた画像データを記憶し、画像処理部１０３は送信する画像の拡大縮小等の処理を行い、プリンタ部１０４は受信した画像データを印刷する処理を行い、スキャナ部１０５は送信する原稿を読み取る処理を行い、宛先情報記憶部１０６は通信相手機の能力情報を記憶し、操作部１０７は通信する際にユーザに画像を送信する際の解像度等の選択を行わせる選択ボタン等の表示を行い、ＣＰＵ１０８とシステム制御部１１０は画像通信装置１００の動作制御を行う。
【００２８】
また、ＤＮＳ処理部１１１は、ＩＰ網６０上のＤＮＳサーバに通信相手機の能力情報の問い合わせを行う。
【００２９】
また、Ｔ３７伝送制御部１１２は、電子メールを利用したインターネットファックスが行われる際にＩＴＵ−Ｔ勧告Ｔ．３７手順に従ってＳｔｏｒｅ・Ｆｏｒｗａｒｄ型通信プロトコルを制御する。
【００３０】
また、Ｔ３８伝送制御部１１３は、リアルタイムのインターネットファックスが行われる際にＩＴＵ−Ｔ勧告Ｔ．３８手順に従ってＲｅａｌｔｉｍｅ型通信プロトコルを制御する。
【００３１】
また、ＩＰ網制御部１１４は、インターネットを介して種々のデータがやり取りされる際に制御を行う。
【００３２】
また、ＩＰ網制御部１１４の内部に備えられたＳＩＰ呼制御部１１５は、ＩＥＴＦ(Internet Engineering Task Force)のＳＩＰについて記述されたＲＦＣ(Request For Comments)３２６１およびＳＤＰ(Session Description Protocol)について記述されたＲＦＣ２３２７の規定された手順を使用することで、リアルタイム型インターネットファックスにおける呼の確立、維持や終了を行う。
【００３３】
また、デジタルＦＡＸ部１２０は、公衆網１５０のデジタル公衆回線網を利用してＦＡＸ通信を行い、デジタルＦＡＸ部１２０内に備えられたＧ４ＦＡＸ伝送制御部１２１はＧ４ファクシミリプロトコルを制御し、デジタルＦＡＸ部１２０内に備えられたＩＳＤＮ呼／網制御部１２２はデジタル公衆回線網にて呼の確立、網接続の制御を行う。
【００３４】
また、アナログＦＡＸ部１３０は、公衆網１５０のアナログ公衆回線網を利用してＦＡＸ通信を行い、アナログＦＡＸ部１３０内に備えられたＧ３ＦＡＸ伝送制御部１３１はＩＴＵ−Ｔ勧告Ｔ．３０手順に従ってファクシミリプロトコルを制御し、アナログＦＡＸ部１３０内に備えられたＰＳＴＮ呼／網制御部１３２はアナログ公衆回線網にて呼の確立、網接続の制御を行う。
【００３５】
画像通信装置１００で、アナログ公衆回線網を利用したＦＡＸが行われる際には、スキャナ部１０５にセットされた原稿が読み取られて画像蓄積部１０２に記憶され、処理が必要な場合には画像処理部１０３で画像処理が行われ、デジタルＦＡＸ部１２０またはアナログＦＡＸ部１３０より公衆網１５０を利用して画像データが送信される。
【００３６】
また、画像通信装置１００で、電子メールを使ったインターネットファックスが行われる際には、スキャナ部１０５にセットされた原稿が読み取られて画像蓄積部１０２に記憶され、処理が必要な場合には画像処理部１０３で画像処理が行われ、Ｔ３７伝送制御部１１２よりＩＰ網制御部１１４を通してＩＰ網１６０の先の通信相手機に対して画像データが送信される。
【００３７】
また、画像通信装置１００で、リアルタイム型インターネットファックスが行われる際には、スキャナ部１０５にセットされた原稿が読み取られて画像蓄積部１０２に記憶され、処理が必要な場合には、画像処理部１０３で画像処理が行われ、Ｔ３８伝送制御部１１３よりＩＰ網制御部１１４のＳＩＰ呼制御部１１５により、ＩＰ網１６０の先の通信相手機に対して画像データが送られる。
【００３８】
次に、通信相手機の能力情報をＤＮＳサーバより取得して、取得した情報から画像通信装置１００の操作部１０７に表示される操作パネルがカスタマイズされ、該カスタマイズされた操作パネルが使用されて画像送信が行われる処理について図２を参照して説明を行う。
【００３９】
図２は、通信相手機の能力情報をＤＮＳサーバ２００より取得して、取得した情報から画像通信装置１００の操作部１０７に表示される操作パネルがカスタマイズされ、該カスタマイズされた操作パネルが使用されて画像送信が行われる処理について示したシーケンス図である。
【００４０】
画像通信装置１００でインターネットファックスが行われる際に、スキャナ部１０５に送信原稿がセットされ、操作部１０７にユーザによって宛先が入力されると（ステップ２０１）、システム制御部１１０が、入力された宛先が宛先情報記憶部１０６に記憶されているか否か検索する（ステップ２０２）。
【００４１】
宛先情報記憶部１０６に、入力された宛先が記憶されてなかったら（ステップ２０３）、ＤＮＳサーバ２００に、ステップ２０１で入力された宛先に該当する通信相手機の能力情報の問い合わせが、ＤＮＳ処理部１１１より行われる。
【００４２】
問い合わせの結果、ＤＮＳサーバ２００より通信相手機の能力情報が得られると、システム制御部１１０によって得られた通信相手機の能力情報が該通信相手機の宛先情報と関連付けて宛先情報記憶部１０６に記憶され、宛先情報記憶部１０６に記憶された該通信相手機の能力情報に基づいて、操作部１０７に表示されるＵＩ(User Interface)画面が、該通信相手機が使用可能なパラメータの内容を表示するようにシステム制御部１１０によってカスタマイズされて操作部１０７に表示される（ステップ２０４）。
【００４３】
画像を送信するユーザは、操作部１０７に表示された、カスタマイズされたＵＩ画面より送信パラメータを選択して、インターネットファックスを行うスタートボタンを押下する（ステップ２０５）。
【００４４】
スタートボタンの押下が行われると、選択されたパラメータに従って、スキャナ部１０５より読み込まれた画像が画像処理部１０３で画像処理され、宛先の受信機２１０に対するインターネットファックスが行われる。
【００４５】
また、受信した通信相手機の能力情報は、宛先情報記憶部１０６に記憶される。
【００４６】
次に、画像通信装置１００の操作部１０７に、インターネットファックスの通信相手機が使用可能なパラメータの内容を表示するようにカスタマイズされたＵＩ画面について図３を参照して説明を行う。
【００４７】
図３は、画像通信装置１００の操作部１０７に、インターネットファックスの通信相手機が使用可能なパラメータの内容を表示するようにカスタマイズされたＵＩ画面について示した画面構成図である。
【００４８】
図３に示すように、カスタマイズされたＵＩ画面には、インターネットファックスが行われる際にユーザによって選択される送信パラメータである、送信紙サイズ、解像度、原稿濃度が記されている。
【００４９】
画像通信装置１００が使用可能な送信紙サイズは、Ａ４、Ｂ４、Ａ３であるが、通信相手機の能力情報を問い合わせた結果、通信相手機が使用可能なサイズがＡ４、Ｂ４だけである為、ＵＩ画面上には、図３に示すように選択可能な送信紙サイズの送信パラメータはＡ４、Ｂ４しか表示されない。
【００５０】
また、画像通信装置１００が使用可能な解像度は、標準、高解像度、超高４００ｄｐｉ、超高６００ｄｐｉであるが、通信相手機の能力情報を問い合わせた結果、通信相手機が使用可能なサイズが標準、高解像度、超高４００ｄｐｉだけである為、ＵＩ画面上には、図３に示すように選択可能な解像度の送信パラメータは標準、高解像度、超高４００ｄｐｉしか表示されない。
【００５１】
次に、通信相手機の能力情報をＳＩＰのオプションコマンドを使用して通信相手機の受信機より取得して、取得した情報から画像通信装置１００の操作部１０７に表示される操作パネルがカスタマイズされ、該カスタマイズされた操作パネルが使用されて画像送信が行われる処理について図４を参照して説明する。
【００５２】
図４は、通信相手機の能力情報をＳＩＰのオプションコマンドを使用して通信相手機の受信機より取得して、取得した情報から画像通信装置１００の操作部１０７に表示される操作パネルがカスタマイズされ、該カスタマイズされた操作パネルが使用されて画像送信が行われる処理について示したシーケンス図である。
【００５３】
画像通信装置１００でインターネットファックスが行われる際に、スキャナ部１０５に送信原稿がセットされ、操作部１０７にユーザによって宛先が入力されると（ステップ４０１）、システム制御部１１０が、入力された宛先が宛先情報記憶部１０６に記憶されているか否か検索する（ステップ４０２）。
【００５４】
宛先情報記憶部１０６に、入力された宛先が記憶されてなかったら（ステップ４０３）、通信相手機の受信機４００に対してＳＩＰのオプションコマンドを使用して、受信機４００の能力情報の問い合わせが行われる。
【００５５】
画像通信装置１００は、受信機４００からの応答２００ＯＫ中のＳＤＰを解析して、受信機４００の能力情報を取得する。
【００５６】
画像通信措置１００は受信機４００の能力情報を取得すると、取得した受信機４００の能力情報が受信機４００の宛先情報と関連付けてシステム制御部１１０によって宛先情報記憶部１０６に記憶され、そして、宛先情報記憶部１０６に記憶された受信機４００の能力情報に基づいて、操作部１０７に表示されるＵＩ画面が、受信機４００が使用可能なパラメータの内容を表示するようにシステム制御部１１０によってカスタマイズされて表示される（ステップ４０４）。
【００５７】
画像を送信するユーザは、操作部１０７に表示された、カスタマイズされたＵＩ画面より送信パラメータを選択して、インターネットファックスを行うスタートボタンを押下する（ステップ４０５）。
【００５８】
スタートボタンの押下が行われると、選択されたパラメータに従って、スキャナ部１０５より読み込まれた画像が画像処理部１０３で画像処理され、宛先の受信機４００に対するインターネットファックスが行われる。
【００５９】
また、取得した受信機４００の能力情報は、宛先情報記憶部１０６に記憶される。
【００６０】
次に、画像通信装置１００でＦＡＸやインターネットファックスが行われる際に、短縮ダイヤルの指定等により宛先の指定が行われ、宛先情報記憶部１０６に記憶された宛先の通信相手機の解像度等のパラメータによる能力情報に基づいて、カスタマイズされるＵＩ画面について図５を参照して説明する。
【００６１】
図５は、画像通信装置１００でＦＡＸやインターネットファックスが行われる際に、短縮ダイヤルの指定等により宛先の指定が行われ、宛先情報記憶部１０６に記憶された宛先の通信相手機の解像度等のパラメータの能力情報に基づいて、カスタマイズされるＵＩ画面例の画面構成図であり、図５（ａ）は指定された短縮ダイヤルに対応する宛先の通信相手機の解像度等のパラメータの能力情報が宛先情報記憶部１０６に記憶されていた場合に表示されるＵＩ画面例の画面構成図であり、図５（ｂ）は指定された短縮ダイヤルに対応する宛先の通信相手機の解像度等のパラメータの能力情報が宛先情報記憶部１０６に記憶されていなかった場合に表示されるＵＩ画面例の画面構成図である。
【００６２】
画像通信装置１００でＦＡＸやインターネットファックスが行われる際に、短縮ダイヤル００１番が指定されると、システム制御部１１０は、短縮ダイヤル００１番に対応する宛先の通信相手機の解像度等のパラメータの能力情報が宛先情報記憶部１０６に記憶されているか否か検索する。
【００６３】
検索した結果、指定された短縮ダイヤル００１番に対応する宛先の通信相手機の解像度等のパラメータの能力情報が記憶されていた場合には、図５（ａ）に示すように、宛先の能力情報に合わせて宛先の通信相手機が使用可能なパラメータの内容が表示されるように、ＵＩ画面がカスタマイズされて操作部１０７に表示され、さらに該ＵＩ画面上には通信相手機の情報を取得済みである旨も表示される。
【００６４】
そして、ユーザのスタートボタン押下によって、通信相手機への送信が開始される。
【００６５】
また、検索した結果、指定された短縮ダイヤル００１番に対応する宛先の通信相手機の解像度等のパラメータの能力情報が記憶されていなかった場合には、図５（ｂ）に示すように、画像通信装置１００が使用可能なすべてのパラメータの内容が表示されるように、ＵＩ画面が操作部１０７に表示される。
【００６６】
そして、ユーザのスタートボタン押下によって通信相手機を発呼して送信を開始し、送信中に受信したＤＩＳ／ＮＳＦの情報を解析して、短縮ダイヤル００１番の通信相手機が使用可能な解像度、紙サイズ等のパラメータ情報が、短縮ダイヤル００１番の宛先情報と関連付けて宛先情報記憶部１０６に記憶される。
【００６７】
次に、画像通信装置１００で親展通信、部数指定通信等の非標準機能が使用されてＦＡＸやインターネットファックスが行われる際に、短縮ダイヤルの指定等により宛先の指定が行われ、宛先情報記憶部１０６に記憶された宛先の通信相手機の該非標準機能の能力情報に基づいて、カスタマイズされるＵＩ画面について図６を参照して説明する。
【００６８】
図６は、画像通信装置１００で親展通信、部数指定通信等の非標準機能が使用されてＦＡＸやインターネットファックスが行われる際に、短縮ダイヤルの指定等により宛先の指定が行われ、宛先情報記憶部１０６に記憶された宛先の通信相手機の非標準機能の能力情報に基づいて、カスタマイズされるＵＩ画面例の画面構成図であり、図６（ａ）は指定された短縮ダイヤルに対応する宛先の通信相手機が親展通信の非標準機能を備えていると宛先情報記憶部１０６に記憶されていた場合に表示されるＵＩ画面例の画面構成図であり、図６（ｂ）は指定された短縮ダイヤルに対応する宛先の通信相手機が非標準機能を備えていないと宛先情報記憶部１０６に記憶されていた場合に表示されるＵＩ画面例の画面構成図であり、図６（ｃ）は指定された短縮ダイヤルに対応する宛先の通信相手機の非標準機能に関する能力情報が宛先記憶部１０６に記憶されていなかった場合に表示されるＵＩ画面例の画面構成図である。
【００６９】
画像通信装置１００で親展通信、部数指定通信等の非標準機能が使用されてＦＡＸやインターネットファックスが行われる際に、短縮ダイヤル００１番が指定されると、システム制御部１１０は、短縮ダイヤル００１番に対応する宛先の通信相手機の親展通信、部数指定通信等の非標準機能の能力情報が宛先情報記憶部１０６に記憶されているか否かを検索する。
【００７０】
検索した結果、指定された短縮ダイヤル００１番に対応する宛先の通信相手機が親展通信の非標準機能を備えていると宛先情報記憶部１０６に記憶されていた場合には、図６（ａ）に示すように、親展通信の機能を選択設定できるタブ６０１が表示されるようにＵＩ画面がカスタマイズされて操作部１０７に表示され、さらに該ＵＩ画面上には通信相手機の情報を取得済みである旨も表示される（符号６０４）。
【００７１】
そして、ユーザによって親展ボックス番号等の親展通信における設定値が入力され、ユーザのスタートボタン押下によって、親展通信による通信相手機への送信が開始される。
【００７２】
また、宛先情報記憶部１０６を検索した結果、指定された短縮ダイヤル００１番に対応する宛先の通信相手機が非標準機能を備えていないと宛先情報記憶部１０６に記憶されていた場合には、図６（ｂ）に示すように、親展通信、部数指定等の非標準機能を選択設定できるタブは表示されないようにカスタマイズされてＵＩ画面が表示部１０７に表示され、さらに該ＵＩ画面上には通信相手機の情報を取得済みである旨も表示され（符号６０５）、加えて、通信相手機がＦコード通信機能も備えていない場合にはその他の機能のタブ６０２が示す画面自体がＵＩ画面に表示されない。
【００７３】
また、宛先情報記憶部１０６を検索した結果、指定された短縮ダイヤル００１番に対応する宛先の通信相手機の非標準機能に関する能力情報が宛先記憶部１０６に記憶されていなかった場合には、図６（ｃ）に示すように、画像通信装置１００が使用可能な全ての非標準機能の選択設定できるタブ（例えば、親展通信タブ６０３、部数指定タブ６０４）が表示されたＵＩ画面が操作部１０７に表示される。
【００７４】
そして、ユーザのスタートボタン押下によって通信相手機を発呼して送信を開始し、送信中に受信したＤＩＳ／ＮＳＦの情報を解析して、短縮ダイヤル００１番の通信相手機が使用可能な非標準機能に関する情報が、短縮ダイヤル００１番の宛先情報と関連付けて宛先情報記憶部１０６に記憶される。
【００７５】
次に、画像通信装置１００でＦコード通信機能が使用されてＦＡＸやインターネットファックスが行われる際に、短縮ダイヤルの指定等により宛先の指定が行われ、宛先情報記憶部１０６に記憶された宛先の通信相手機のＦコード通信機能の能力情報に基づいて、カスタマイズされるＵＩ画面について図７を参照して説明する。
【００７６】
図７は、画像通信装置１００でＦコード通信機能が使用されてＦＡＸやインターネットファックスが行われる際に、短縮ダイヤルの指定等により宛先の指定が行われ、宛先情報記憶部１０６に記憶された宛先の通信相手機のＦコード通信機能の能力情報に基づいて、カスタマイズされるＵＩ画面例の画面構成図であり、図７（ａ）は指定された短縮ダイヤルに対応する宛先の通信相手機がＦコード通信機能を備えていると宛先情報記憶部１０６に記憶されていた場合に表示されるＵＩ画面例の画面構成図であり、図７（ｂ）は指定された短縮ダイヤルに対応する宛先の通信相手機がＦコード通信機能を備えていないと宛先情報記憶部１０６に記憶されていた場合に表示されるＵＩ画面例の画面構成図であり、図７（ｃ）は指定された短縮ダイヤルに対応する宛先の通信相手機のＦコード通信機能に関する能力情報が宛先記憶部１０６に記憶されていなかった場合に表示されるＵＩ画面例の画面構成図である。
【００７７】
画像通信装置１００でＦコード通信機能が使用されてＦＡＸやインターネットファックスが行われる際に、短縮ダイヤル００１番が指定されると、システム制御部１１０は、短縮ダイヤル００１番に対応する宛先の通信相手機のＦコード通信機能の能力情報が宛先情報記憶部１０６に記憶されているか否かを検索する。
【００７８】
検索した結果、指定された短縮ダイヤル００１番に対応する宛先の通信相手機がＦコード通信機能を備えていると宛先情報記憶部１０６に記憶されていた場合には、図７（ａ）に示すように、Ｆコード通信機能を選択設定できるタブ７０１が表示されるようにＵＩ画面がカスタマイズされて操作部１０７に表示され、さらに該ＵＩ画面上には通信相手機の情報を取得済みである旨も表示される（符号７０５）。
【００７９】
そして、ユーザによってＦコード通信機能における設定値が入力され、ユーザのスタートボタン押下によって、Ｆコード通信機能による通信相手機への送信が開始される。
【００８０】
また、宛先情報記憶部１０６を検索した結果、指定された短縮ダイヤル００１番に対応する宛先の通信相手機がＦコード通信機能を備えていないと宛先情報記憶部１０６に記憶されていた場合には、図７（ｂ）に示すように、Ｆコード通信機能を選択設定できるタブは表示されないようにカスタマイズされてＵＩ画面が表示部１０７に表示され、さらに該ＵＩ画面上には通信相手機の情報を取得済みである旨も表示され（符号７０６）加えて、通信相手機がＦコード通信機能も備えていない場合にはその他の機能のタブ７０２が示す画面自体がＵＩ画面に表示されない。
【００８１】
また、宛先情報記憶部１０６を検索した結果、指定された短縮ダイヤル００１番に対応する宛先の通信相手機のＦコード通信機能に関する能力情報が宛先記憶部１０６に記憶されていなかった場合には、図７（ｃ）に示すように、画像通信装置１００が使用可能な全てのＦコード通信機能を含む非標準機能の選択設定できるタブ（例えば、Ｆコード通信タブ７０３、親展通信タブ７０３、部数指定タブ７０４）がＵＩ画面が操作部１０７に表示される。
【００８２】
そして、ユーザのスタートボタン押下によって通信相手機を発呼して送信を開始し、送信中に受信したＤＩＳ／ＮＳＦの情報を解析して、短縮ダイヤル００１番の通信相手機がＦコード通信機能を使用できるか否かの情報が、短縮ダイヤル００１番の宛先情報と関連付けて宛先情報記憶部１０６に記憶される。
【００８３】
次に、画像通信装置１００においてＦＡＸやインターネットファックスが行われる際に、宛先の指定が行われ、宛先の通信相手機が使用可能な通信機能に基づいてＵＩ画面がカスタマイズされて操作部１０７に表示される等が行われる処理について図８を参照して説明を行う。
【００８４】
図８は、画像通信装置１００において、宛先の指定が行われ、宛先の通信相手機が使用可能な通信機能に基づいてＵＩ画面がカスタマイズされて操作部１０７に表示される等が行われる処理について示したフローチャートである。
【００８５】
画像通信装置１００において、ユーザより操作部１０７に通信相手の宛先情報が入力されると（ステップ８０１）、システム制御部１１０は、入力された宛先情報の通信相手機の能力情報が宛先情報記憶部１０６に記憶されているか否かを検索する（ステップ８０２）。
【００８６】
宛先情報記憶部１０６が検索された結果、入力された宛先情報の通信相手機の能力情報が宛先情報記憶部１０６に記憶済みの場合には（ステップ８０３でＹＥＳ）、宛先情報記憶部１０６に記憶された通信相手機が使用可能な通信機能に基づいて、通信相手機が使用可能な通信機能を選択設定することが可能となるようにＵＩ画面がカスタマイズされて操作部１０７に表示され、さらに、通信相手機情報取得済みを示す旨も該ＵＩ画面上に表示される（ステップ８０４）。
【００８７】
そして、ユーザによって、通信相手機が使用可能な通信機能の設定パラメータ（送信解像度、親展ボックス番号、Ｆコード等）が設定され、スタートボタンの押下が行われて（ステップ８０５）、送信が開始される（ステップ８０６）。
【００８８】
送信が開始されると、送信中に受信したＤＩＳ／ＮＳＦの情報を解析して、解析して得られる通信相手機が使用可能な通信機能の能力情報を宛先情報記憶部１０６に記憶している該通信相手機の能力情報と比較し、異なった点があれば、宛先情報記憶部１０６に記憶している該通信相手機の能力情報を解析して得られた能力情報に更新する（ステップ８０７）。
【００８９】
また、宛先情報記憶部１０６が検索された結果、入力された宛先情報の通信相手機の能力情報が宛先情報記憶部１０６に記憶されていなかった場合には（ステップ８０３でＮＯ）、画像通信装置１００が通信可能な全ての通信機能を選択設定することが可能となるようにＵＩ画面が操作部１０７に表示される（ステップ８０８）。
【００９０】
そして、ユーザによって、操作部１０７に表示されたＵＩ画面より通信パラメータが設定されてスタートボタンの押下が行われて（ステップ８０９）、送信が開始される（ステップ８１０）。
【００９１】
送信が開始されると、送信中に受信したＤＩＳ／ＮＳＦの情報を解析して、解析して得られる通信相手機が使用可能な通信機能の能力情報が、ステップ８０１で入力された宛先情報と関連付けられて宛先情報記憶部１０６に記憶される（ステップ８１１）。
【産業上の利用可能性】
【００９２】
この発明は、ＦＡＸやインターネットファックスが可能な画像通信装置およびその方法において利用可能である。
【００９３】
この発明によれば、通信相手機が使用可能な能力情報をユーザに表示して選択させて送信が行われることにより、送信者が意図しない送信を防止することができる。
【図面の簡単な説明】
【００９４】
【図１】本発明に係わる画像通信装置１００の内部構成例を示したブロック図。
【図２】通信相手機の能力情報をＤＮＳサーバ２００より取得して、取得した情報から画像通信装置１００の操作部１０７に表示される操作パネルがカスタマイズされ、該カスタマイズされた操作パネルが使用されて画像送信が行われる処理について示したシーケンス図。
【図３】画像通信装置１００の操作部１０７に、インターネットファックスの通信相手機が使用可能なパラメータの内容を表示するようにカスタマイズされたＵＩ画面について示した画面構成図。
【図４】通信相手機の能力情報をＳＩＰのオプションコマンドを使用して通信相手機の受信機より取得して、取得した情報から画像通信装置１００の操作部１０７に表示される操作パネルがカスタマイズされ、該カスタマイズされた操作パネルが使用されて画像送信が行われる処理について示したシーケンス図。
【図５】画像通信装置１００でＦＡＸやインターネットファックスが行われる際に、短縮ダイヤルの指定等により宛先の指定が行われ、宛先情報記憶部１０６に記憶された宛先の通信相手機の解像度等のパラメータの能力情報に基づいて、カスタマイズされるＵＩ画面例の画面構成図。
【図６】画像通信装置１００で親展通信、部数指定通信等の非標準機能が使用されてＦＡＸやインターネットファックスが行われる際に、短縮ダイヤルの指定等により宛先の指定が行われ、宛先情報記憶部１０６に記憶された宛先の通信相手機の非標準機能の能力情報に基づいて、カスタマイズされるＵＩ画面例の画面構成図。
【図７】画像通信装置１００でＦコード通信機能が使用されてＦＡＸやインターネットファックスが行われる際に、短縮ダイヤルの指定等により宛先の指定が行われ、宛先情報記憶部１０６に記憶された宛先の通信相手機のＦコード通信機能の能力情報に基づいて、カスタマイズされるＵＩ画面例の画面構成図。
【図８】画像通信装置１００において、宛先の指定が行われ、宛先の通信相手機が使用可能な通信機能に基づいてＵＩ画面がカスタマイズされて操作部１０７に表示される等が行われる処理について示したフローチャート。
【符号の説明】
【００９５】
１００    画像通信装置
１０１    ＲＡＭ
１０２    画像蓄積部
１０３    画像処理部
１０４    プリンタ部
１０５    スキャナ部
１０６    宛先情報記憶部
１０７    操作部
１０８    ＣＰＵ
１０９    バス
１１０    システム制御部
１１１    ＤＮＳ処理部
１１２    Ｔ３７伝送制御部
１１３    Ｔ３８伝送制御部
１１４    ＩＰ網制御部
１２０    デジタルＦＡＸ部
１２１    Ｇ４ＦＡＸ伝送制御部
１２２    ＩＳＤＮ呼／網制御部
１３０    アナログＦＡＸ部
１３１    Ｇ３ＦＡＸ伝送制御部
１３２    ＰＳＴＮ呼／網制御部
１５０    公衆網
１６０    ＩＰ網
２００    ＤＮＳサーバ
２１０    受信機
４００    受信機
【図１】
2007088891.tif 000003
【図２】
2007088891.tif 000004
【図３】
2007088891.tif 000005
【図４】
2007088891.tif 000006
【図５】
2007088891.tif 000007
【図６】
2007088891.tif 000008
【図７】
2007088891.tif 000009
【図８】
2007088891.tif 000010